(57)【要約】【課題】転倒によって内部の液体が流出する問題を確実に防止する。【解決手段】液体を収容する内容器２、および、該内容器２内の液体を加熱する加熱手段（ヒータ３）を有する容器本体１と、外部に連通する蒸気排出路１１を設けた蓋本体６、および、該蓋本体６との間に所定の空間Ｓ１を形成するように該蓋本体６に配設され内容器２の上端開口を閉塞する内蓋１７を有する蓋体５とを備えた貯湯容器において、内蓋１７に、内容器２を臨む入口２４ａと空間Ｓ１を臨む出口２４ｂとを有する複数の連通路２４Ａ〜２４Ｄを設け、これら各連通路２４Ａ〜２４Ｄは、内容器２内に予め設定された満水量の液体が収容された状態で転倒した際に、その一部が液体の液面Ｗｓより上方に位置するように形成されるとともに、少なくとも１つの連通路２４の入口２４ａが液面Ｗｓより上方に位置するように配設された構成とする。【選択図】  図１
2004229896.tif 000002
【特許請求の範囲】
【請求項１】
液体を収容する内容器、および、該内容器内の液体を加熱する加熱手段を有する容器本体と、
外部に連通する蒸気排出路を設けた蓋本体、および、該蓋本体との間に所定の空間を形成するように該蓋本体に配設され前記内容器の上端開口を閉塞する内蓋を有する蓋体とを備えた貯湯容器において、
前記内蓋に、前記内容器を臨む入口と前記空間を臨む出口とを有する複数の連通路を設け、
これら各連通路は、前記内容器内に予め設定された満水量の液体が収容された状態で転倒した際に、その一部が液体の液面より上方に位置するように形成されるとともに、少なくとも１つの連通路の前記入口が液面より上方に位置するように配設されたことを特徴とする貯湯容器。
【請求項２】
前記各連通路は、起立時に、前記空間および蒸気排出路を介して内容器内で発生した蒸気を外部に排出する排気経路を構成するもので、前記出口から入口に向けて下向きに傾斜する底面を備えていることを特徴とする請求項１に記載の貯湯容器。
【請求項３】
前記内蓋は、その外周部近傍が最下端に位置するように底部が傾斜され、その下端位置に起立時に前記空間および蒸気排出路を介して内容器内で発生した蒸気を外部に排出する排出口を設けるとともに、該排出口に前記空間の側に位置する略Ｃ字形状のダクトを配設し、
転倒時に前記排出口およびダクトの開口が前記液面より下方に位置した状態で、前記蓋本体の蒸気排出路における空間を臨む開口が前記液面より上方に位置するようにしたことを特徴とする請求項１に記載の貯湯容器。
【発明の詳細な説明】
【０００１】
【発明の属する技術分野】
本発明は、加湿器や電気ポット等の蒸気排出構造を備えた貯湯容器に関するものである。
【０００２】
【従来の技術】
本発明の貯湯容器に関連する先行技術文献情報としては次のものがある。
【０００３】
【特許文献１】
特許第２９３２４５１号公報
【０００４】
この特許文献１の貯湯容器は、容器本体の内容器に収容した液体を加熱手段で加熱し、発生した蒸気を、内容器の上方開口部を閉鎖する蓋体に設けた蒸気通路を介して排出するようにしている。また、この貯湯容器には、転倒した際に内容器内に収容した液体が前記蒸気通路を介して外部に流出しないように、該蒸気通路が蓋体内で迂回するように設けられている。
【０００５】
【発明が解決しようとする課題】
しかしながら、前記貯湯容器は、高温の液体を収容した状態で転倒すると、転倒の方向によっては内容器の内圧の上昇により、沸騰した液体が外部に流出する恐れがある。
【０００６】
そこで、本発明では、転倒によって内部の液体が流出する問題を確実に防止できる貯湯容器を提供することを課題とするものである。
【０００７】
【課題を解決するための手段】
前記課題を解決するため、本発明の貯湯容器は、液体を収容する内容器、および、該内容器内の液体を加熱する加熱手段を有する容器本体と、外部に連通する蒸気排出路を設けた蓋本体、および、該蓋本体との間に所定の空間を形成するように該蓋本体に配設され前記内容器の上端開口を閉塞する内蓋を有する蓋体とを備えた貯湯容器において、前記内蓋に、前記内容器を臨む入口と前記空間を臨む出口とを有する複数の連通路を設け、これら各連通路は、前記内容器内に予め設定された満水量の液体が収容された状態で転倒した際に、その一部が液体の液面より上方に位置するように形成されるとともに、少なくとも１つの連通路の前記入口が液面より上方に位置するように配設された構成としている。
【０００８】
前記貯湯容器によれば、転倒時に、入口が液面より下方に位置している連通路の内部には液体が浸入し、入口が液面より上方に位置している連通路の内部には液体が浸入しない。そして、本発明では、連通路の一部が液体の液面より上方に位置するように形成しているため、連通路の内部に浸入した液体は、液面と略同一位置まで進入するが、出口までは達しない。そのため、空間および蓋本体の蒸気排出路を介して液体が外部に流出することを防止できる。また、この状態で、内容器内の液体が高温に加熱されている場合には、内容器内の圧力が外気圧より高くなる。しかし、本発明では、少なくとも１つの連通路の内部には液体が進入しないため、内容器内と外部とが連通しており、その連通路を介して圧力を平衡できる。その結果、液面が上昇することで液体が外部に流出することも確実に防止できる。
【０００９】
この貯湯容器では、前記各連通路は、起立時に、前記空間および蒸気排出路を介して内容器内で発生した蒸気を外部に排出する排気経路を構成するもので、前記出口から入口に向けて下向きに傾斜する底面を備えていることが好ましい。このようにすれば、内蓋の構成を簡素化することができる。
【００１０】
または、前記内蓋は、その外周部近傍が最下端に位置するように底部が傾斜され、その下端位置に起立時に前記空間および蒸気排出路を介して内容器内で発生した蒸気を外部に排出する排出口を設けるとともに、該排出口に前記空間の側に位置する略Ｃ字形状のダクトを配設し、転倒時に前記排出口およびダクトの開口が前記液面より下方に位置した状態で、前記蓋本体の蒸気排出路における空間を臨む開口が前記液面より上方に位置するように構成してもよい。このようにすれば、転倒時に液体が流出することを防止できるうえ、起立時に発生した蒸気の通気効率を向上できる。
【００１１】
【発明の実施の形態】
以下、本発明の実施の形態を図面に従って説明する。
図１から図７は、本発明の第１実施形態に係る貯湯容器の一例である加湿器を示す。この加湿器は、上端開口の容器本体１と、該容器本体１の上端開口を閉塞する蓋体５とを備え、容器本体１内で液体（例えば、水）を加熱することにより発生する蒸気を、蓋体５から外部に排出して室内の空気を加湿するものである。
【００１２】
前記容器本体１は、略円柱形状をなし、その内部には、液体を収容する内容器２と、該内容器２内の液体を加熱する加熱手段であるヒータ３が配設され、図示しない制御基板により前記ヒータ３を加熱制御する周知の構成である。この容器本体１の背部には、蓋体５を回動可能に装着するためのヒンジ接続部４が設けられている。
【００１３】
前記蓋体５は、容器本体１の上端開口を閉塞する蓋本体６と、該蓋本体６の下面に配設され前記内容器２の上端開口を閉塞する内蓋１７とからなる。
【００１４】
前記蓋本体６は、上面部材７と下面部材８とからなり、その背部に前記ヒンジ接続部４に装着するヒンジ接続部９を設けたものである。この蓋本体６の正面側上部には、容器本体１を閉塞した状態に固定するロック機構１０が設けられている。また、蓋本体６の背面側には、外部に連通する蒸気排出路１１が設けられている。この蒸気排出路１１は、前記上面部材７に設けた凹部１２と、該凹部１２の上面開口を閉塞する複数のスリットからなる排気口１３ａを備えたカバー１３と、前記下面部材８に設けたダクト部１４とからなる。このダクト部１４は、図２に示すように、該下面部材８の下側の空間Ｓ１を臨む開口１５と、前記凹部１２内に突出する排出部１６とを備えている。
【００１５】
前記内蓋１７は、前記蓋本体６との間に所定の空間Ｓ１を形成するように該蓋本体６にネジ止めにより配設されるもので、金属製の下蓋１８と、該下蓋１８の上側に装着する樹脂製の中蓋１９と、前記内容器２の上端開口縁をシールするパッキン２０からなる。
【００１６】
前記下蓋１８は、前記容器本体１への装着状態で背面側から正面側に向けて下向きに傾斜するもので、図３に示すように、内容器２内で発生した蒸気を排出するとともに、蓋体５内で結露した液体を内容器２内に還流する複数の連通口２１が所定位置に設けられている。
【００１７】
前記中蓋１９は、図４から図６に示すように、一対の上板２２と下板２３とからなり、これらにより前記連通口２１を介して内容器２内を臨む入口２４ａと、前記空間Ｓ１内を臨む出口２４ｂとを有する複数（本実施形態では４個）の連通路２４Ａ，２４Ｂ，２４Ｃ，２４Ｄを形成したものである。これら連通路２４Ａ〜２４Ｄは、容器本体１が起立した状態で、前記空間Ｓ１および蒸気排出路１１を介して内容器２内で発生した蒸気を外部に排出する排気経路を構成する。また、前記内容器２内に予め設定された満水量の液体が収容された状態で転倒した際には、内容器２内の圧力と外気圧とを平衡しながら内容器２内の液体が外部に流出することを防止する貯水部の役割をなすものである。
【００１８】
具体的には、前記各連通路２４Ａ〜２４Ｄは、上板２２に形成した４つの第１凸部２５Ａ〜２５Ｄと、下板２３に形成した４つの第２凸部２６Ａ〜２６Ｄにより形成される。
【００１９】
図５（Ａ）および図６（Ａ）に示すように、前記上板２２の第１凸部２５Ａ〜２５Ｄは、両端が互いに近接する平面視略Ｃ字形状のものである。そして、本実施形態では、各第１凸部２５Ａ〜２５Ｄの端部は、周方向に略９０度の間隔をもって位置するように配置されている。また、これら第１凸部２５Ａ〜２５Ｄは、互いに１枚の隔壁を介して区画された状態で隣接している。さらに、これら第１凸部２５Ａ〜２５Ｄは、一端から他端に向けて下向きに傾斜するように設けられ、その最上位に位置する一端に前記出口２４ｂが設けられている。
【００２０】
図５（Ｂ）および図６（Ｂ）に示すように、前記下板２３の第２凸部２６Ａ〜２６Ｄは、前記第１凸部２５Ａ〜２５Ｄの内部に密接して嵌め込まれるものである。これら第２凸部２６Ａ〜２６Ｄは、前記第１凸部２５Ａ〜２５Ｄとの間に通路を形成するように、該第１凸部２５Ａ〜２５Ｄと同様に一端から他端に向けて下向きに傾斜するように設けられ、その最下位に位置する他端に前記入口２４ａが設けられている。即ち、この第２凸部２６Ａ〜２６Ｄの傾斜した上端面は、連通路２４Ａ〜２４Ｄにおいて、出口２４ｂから入口２４ａに向けて下向きに傾斜する底面を構成する。なお、これら凸部２５Ａ〜２５Ｄ，２６Ａ〜２６Ｄにより形成する連通路２４Ａ〜２４Ｄの断面積は２０ｍｍ２以上とし、蒸気の通気効率が低下することを防止することが好ましい。
【００２１】
さらに、本実施形態では、図７（Ａ）から図７（Ｈ）に示すように、前記上板２２および下板２３により形成される連通路２４Ａ〜２４Ｄにおいて、最も内側に位置する連通路２４Ｄの直径は、前記内容器２内に予め設定された満水量の液体が収容された状態で転倒した際に、その状態での頂部が液体の液面Ｗｓより上方に位置するように形成されている。また、いずれの状態でも少なくとも１つの連通路２４Ａ〜２４Ｄの入口２４ａが液面Ｗｓより上方に位置するように構成している。言い換えれば、最も内側に位置する連通路２４Ｄの入口２４ａと隣接する連通路２４Ａの入口２４ａとが略水平に位置した状態、または、連通路２４Ｄの入口２４ａと隣接する連通路２４Ｃの入口２４ａとが略水平に位置した状態で、これらの入口２４ａが、液面Ｗｓより高い位置になるように構成している。
【００２２】
前記構成の内蓋１７を装着した加湿器では、起立状態として加湿動作を開始すると、内容器２内に収容した液体を加熱する。そして、この加熱により発生した蒸気は、内蓋１７における下蓋１８の連通口２１から、該下蓋１８と中蓋１９との間の空間Ｓ２に進入する。ついで、中蓋１９の４つの入口２４ａから各連通路２４Ａ〜２４Ｄの内部に進入し、出口２４ｂから前記空間Ｓ１内に進入する。その後、蓋本体６の開口１５から蒸気排出路１１の内部に進入し、排気口１３ａから外部に放出する。
【００２３】
一方、加湿器が転倒した場合、図７（Ａ）から図７（Ｈ）に示すように、どの位置であっても少なくとも１つの連通路２４Ａ〜２４Ｄの前記入口２４ａが液面Ｗｓより上方に位置している。しかも、各連通路２４Ａ〜２４Ｄの一部は、同様に液面Ｗｓより上方に位置している。そのため、各図にハッチングを付して示すように、入口２４ａが液面Ｗｓより下方に位置している連通路２４Ａ〜２４Ｄの内部には液体が浸入し、入口２４ａが液面Ｗｓより上方に位置している連通路２４Ａ〜２４Ｄの内部には液体が浸入しない。
【００２４】
ここで、連通路２４Ａ〜２４Ｄの内部に浸入した液体は、内容器２内の液面Ｗｓと略同一位置まで進入するが、出口２４ｂまでは達しない。そのため、空間Ｓ１および蓋本体６の蒸気排出路１１を介して液体が外部に流出することを防止できる。また、この状態で、内容器２内の液体が高温に加熱されている場合には、内容器２内の圧力が外気圧より高くなる。しかし、本実施形態では、少なくとも１つの連通路２４Ａ〜２４Ｄの内部には液体が進入していないため、内容器２内と外部とが連通しており、その連通路２４Ａ〜２４Ｄを介して圧力を平衡させることができる。その結果、圧力により液面が上昇することで出口２４ｂを介して液体が外部に流出することや、パッキン２０を圧力で変形させる等して隙間から液体が外部に流出することも確実に防止できる。
【００２５】
例えば、図７（Ａ）に示すように、最も外側に位置する連通路２４Ａの出入口２４ａ，２４ｂが頂部に位置する状態で容器本体１が転倒している場合、該連通路２４Ａの入口２４ａは満水量の液体の液面Ｗｓより上方に位置し、他の連通路２４Ｂ〜２４Ｄの入口２４ａは液面Ｗｓより下方に位置する。そのため、連通路２４Ａの内部には内容器２内の液体は進入しないが、連通路２４Ｂ〜２４Ｄの内部には液体が進入する。
【００２６】
しかし、連通路２４Ｂ〜２４Ｄの内部に進入した液体の液面Ｗｓは、内容器２内の液面Ｗｓと略同一位置まで達するが、出口２４ｂまでは達しないため、液体が外部に流出することはない。また、内容器２の液体が高温である場合には、液体が進入していない連通路２４Ａを通して内容器２内の圧力と外気圧とが平衡され、同様に液体が外部に流出することを防止できる。
【００２７】
図８から図１１は、本発明の第２実施形態に係る貯湯容器の一例である加湿器を示す。この第２実施形態の加湿器は、異なる内蓋３０を適用した点でのみ、第１実施形態と相違している。なお、蓋本体６は、内蓋３０の構成の違いにより形状を調整しているが、その構成および機能は第１実施形態と同一であるため、詳細な説明は省略する。
【００２８】
具体的には、第２実施形態の内蓋３０は、第１実施形態に下蓋１８と、中蓋３２と、パッキン２０からなり、中蓋３２の構成を変更した点でのみ、第１実施形態と相違している。
【００２９】
前記中蓋３２は、図９および図１０（Ａ），（Ｂ）に示すように、外周部近傍が最下端に位置するように対向位置から傾斜する底部３４を備えている。この底部３４の最下端位置には、起立時に前記空間Ｓ１および蒸気排出路１１を介して内容器２内で発生した蒸気を外部に排出する排気経路を構成する排出口３５が設けられている。この排出口３５には、空間Ｓ１の側に位置するように一体に突出する壁部３６と、該壁部３６によって形成した溝の上端を閉塞するカバー３７とからなる略Ｃ字形状のダクト３８が設けられている。
【００３０】
また、第２実施形態の中蓋３２では、その上面および下面に、パイプからなる合計で３つの連通路３９Ａ〜３９Ｃが設けられている。これら連通路３９Ａ〜３９Ｃの一端は、略Ｌ字形状の継手部材４０Ａ〜４０Ｃに接続され、この継手部材４０Ａ〜４０Ｃにより中蓋３２の底部３４を貫通させている。ここで、上面に配設した連通路３９Ａ，３９Ｂは、貫通させた継手部材４０Ａ，４０Ｂの開口が連通口２１を介して内容器２内を臨む入口３９ａを構成し、継手部材４０Ａ，４０Ｂに接続していない端部が空間Ｓ１内を臨む出口３９ｂを構成する。また、下面に配設した連通路３９Ｃは、継手部材４０Ｃを接続していない端部が連通口２１を介して内容器２内を臨む入口３９ａを構成し、貫通させた継手部材４０Ｃの開口が空間Ｓ１内を臨む出口３９ｂを構成する。
【００３１】
本実施形態の連通路３９Ａ〜３９Ｃは、内容器２内に予め設定された満水量の液体が収容された状態で転倒した際に、内容器２内の圧力と外気圧とを平衡しながら内容器２内の液体が外部に流出することを防止する役割のみをなす。即ち、容器本体１が起立した状態では、前記空間Ｓ１および蒸気排出路１１を介して内容器２内で発生した蒸気を外部に排出する排気経路の作用はなさない。言い換えれば、第２実施形態では、連通路３９Ａ〜３９Ｃをパイプにより構成するため、蒸気が流通する面積、および、結露した水を還流させる機能を十分に確保できない可能性があるため、専用の排出口３５を設けた構成としている。
【００３２】
そして、各連通路３９Ａ〜３９Ｃは第１実施形態と同様に、図１１（Ａ）から図１１（Ｈ）に示すように、前記内容器２内に予め設定された満水量の液体が収容された状態で転倒した際に、その状態での頂部が液体の液面Ｗｓより上方に位置するように迂回させて配置している。また、いずれの状態でも１つの連通路３９Ａ〜３９Ｃの入口３９ａが液面Ｗｓより上方に位置するように構成している。言い換えれば、各連通路３９Ａ，３９Ｂ，３９Ｃの入口３９ａは、隣接する各連通路３９Ｂ，３９Ｃ，３９Ａと略水平に位置させた状態で、これらの入口３９ａが液面Ｗｓより高い位置になるように構成している。
【００３３】
さらに、本実施形態では、前記構成の中蓋３２は、前記排出口３５およびダクト３８の開口が液面Ｗｓより下方に位置した状態で、蓋本体６の蒸気排出路１１における空間Ｓ１を臨む開口１４が、液面Ｗｓより上方に位置するように装着される。
【００３４】
さらにまた、本実施形態では、ダクト３８を配設した排出口３５を設けているため、該排出口３５およびダクト３８の開口が液面Ｗｓより下方に位置する状態（図１１（Ｆ），（Ｇ），（Ｈ）参照）が生じる。そして、この状態では、液面Ｗｓから上方に位置する入口３９ａを有する連通路３９Ａまたは連通路３９Ｂは、その出口３９ｂも液面Ｗｓから上方に位置する構成としている。
【００３５】
前記構成の内蓋３０を装着した加湿器では、起立状態として加湿動作を開始すると、内容器２内に収容した液体を加熱する。そして、この加熱により発生した蒸気は、内蓋３０における下蓋１８の連通口２１から、該下蓋１８と中蓋３２との間の空間Ｓ２に進入する。ついで、中蓋３２の排出口３５からダクト３８を介して空間Ｓ１内に進入した後、蓋本体６の開口１５から蒸気排出路１１の内部に進入し、排気口１３ａから外部に放出する。
【００３６】
一方、加湿器が転倒した場合、図１１（Ａ）から図１１（Ｅ）に示すように、排出口３５およびダクト３８の開口の少なくともいずれか一方が液面Ｗｓより上方に位置している状態では、内容器２内の液体は、排出口３５およびダクト３８を介して空間Ｓ１内には進入せず、図１１（Ｆ）から図１１（Ｈ）に示すように、排出口３５およびダクト３８の開口の両方が液面Ｗｓより下方に位置している状態では、内容器２内の液体は、排出口３５およびダクト３８を介して空間Ｓ１内には進入する。
【００３７】
空間Ｓ１内に液体が進入しない状態では、少なくとも１つの連通路３９Ａ〜３９Ｃの前記入口３９ａは、液面Ｗｓより上方に位置している。かつ、各連通路３９Ａ〜３９Ｃの一部も同様に液面Ｗｓより上方に位置している。そのため、各図にハッチングを付して示すように、入口３９ａが液面Ｗｓより下方に位置している連通路３９Ａ〜３９Ｄの内部には液体が浸入し、入口３９ａが液面Ｗｓより上方に位置している連通路３９Ａ〜３９Ｄの内部には液体が浸入しない。
【００３８】
そして、連通路３９Ａ〜３９Ｃの内部に浸入した液体は、内容器２内の液面Ｗｓと略同一位置まで進入するが、出口３９ｂまでは達しない。そのため、空間Ｓ１および蓋本体６の蒸気排出路１１を介して液体が外部に流出することを防止できる。また、この状態で、内容器２内の液体が高温に加熱されている場合には、内容器２内の圧力が外気圧より高くなる。しかし、本実施形態では、少なくとも１つの連通路３９Ａ〜３９Ｃの内部には液体が進入していないため、内容器２内と外部とが連通しており、その連通路３９Ａ〜３９Ｃを介して圧力を平衡させることができる。その結果、パッキン２０を圧力で変形させる等して隙間から液体が外部に流出することも確実に防止できる。
【００３９】
例えば、図１１（Ａ）に示す状態では、連通路３９Ｃの入口３９ａが液面Ｗｓより上方に位置し、他の連通路３９Ａ，３９Ｂの入口３９ａは液面Ｗｓより下方に位置する。そのため、連通路３９Ｃの内部には内容器２内の液体は進入しないが、連通路３９Ａ，３９Ｂの内部には液体が進入する。
【００４０】
しかし、連通路３９Ａ，３９Ｂの内部に進入した液体の液面Ｗｓは、内容器２内の液面Ｗｓと略同一位置まで達するが、出口３９ｂまでは達しないため、液体が外部に流出することはない。また、内容器２の液体が高温である場合には、液体が進入していない連通路３９Ｃを通して内容器２内の圧力と外気圧とが平衡され、同様に液体が外部に流出することを防止できる。
【００４１】
また、排出口３５およびダクト３８の開口が液面Ｗｓより下方に位置することにより、空間Ｓ１内に液体が進入する状態では、蒸気排出路１１の開口１５は液面Ｗｓより上方に位置している。しかも、少なくとも１つの連通路３９Ａ〜３９Ｃ（本実施形態では連通路３９Ａまたは連通路３９Ｃ）の前記出入口３９ａ，３９ｂは、液面Ｗｓより上方に位置し、その連通路３９Ａ〜３９Ｃの内部には液体が浸入しない。
【００４２】
即ち、液面Ｗｓより入口３９ａまたは出口３９ｂが下方に位置する連通路３９Ａ〜３９Ｃおよび空間Ｓ１は、貯水部の役割をなし、液面Ｗｓより出入口３９ａ，３９ｂが上方に位置する連通路３９Ａ〜３９Ｃは通気路の役割をなす。そのため、蓋本体６の蒸気排出路１１を介して液体が外部に流出することを防止できる。また、この状態で、内容器２内の液体が高温に加熱されている場合には、内容器２内の圧力が外気圧より高くなる。しかし、本実施形態では、通気路の役割をなす少なくとも１つの連通路３９Ａ〜３９Ｃにより、内外の圧力を平衡させることができる。その結果、パッキン２０を圧力で変形させる等して隙間から液体が外部に流出することも確実に防止できる。
【００４３】
なお、本発明の貯湯容器は、前記実施形態の構成に限定されるものではなく、種々の変更が可能である。
【００４４】
例えば、第１実施形態では４つの連通路２４Ａ〜２４Ｄを形成し、第２実施形態では３つの連通路３９Ａ〜３９Ｃを形成したが、その数は希望に応じて変更が可能である。
【００４５】
また、第１実施形態では、第２実施形態と同様に専用の排出口３５を設けてもよい。さらに、第２実施形態では、連通路３９Ａ〜３９Ｃを構成するパイプを大径のものを適用することにより、第１実施形態と同様に専用の排出口３５を設けない構成としてもよい。
【００４６】
そして、前記実施形態では、本発明の構成を貯湯容器の一例として加湿器に適用したが、吐出ポンプを備え、内容器内の液体を吐出可能とした電気ポットにも適用可能であり、同様の作用および効果を得ることができる。
【００４７】
【発明の効果】
以上の説明から明らかなように、本発明の貯湯容器では、転倒した際に、一部が液体の液面より上方に位置するように複数の連通路を設けているため、これら連通路の内部に浸入した液体は、液面と略同一位置まで進入するが、出口までは達しない。そのため、空間および蓋本体の蒸気排出路を介して液体が外部に流出することを防止できる。
【００４８】
また、転倒時には、少なくとも１つの連通路の前記入口が液面より上方に位置するため、内容器の内部と外気との通気を確保できる。そのため、転倒時に内容器内の圧力が高くなっても内外の圧力を平衡でき、その結果、液体が外部に流出することも確実に防止できる。
【図面の簡単な説明】
【図１】第１実施形態の貯湯容器である加湿器の部分断面図である。
【図２】蓋本体の底面図である。
【図３】蓋体の底面図である。
【図４】内蓋を構成する中蓋を示し、（Ａ）は平面図、（Ｂ）は断面図である。
【図５】（Ａ）は中蓋を構成する上板の平面図、（Ｂ）は中蓋を構成する下板の平面図である。
【図６】（Ａ）は中蓋を上方から見た斜視図、（Ｂ）は中蓋を下方から見た斜視図である。
【図７】（Ａ）から（Ｈ）は種々の転倒状態での液体との関係を示す図面である。
【図８】第２実施形態の加湿器を部分断面図である。
【図９】内蓋を構成する中蓋を示す平面図である。
【図１０】（Ａ）は中蓋を上方から見た斜視図、（Ｂ）は中蓋を下方から見た斜視図である。
【図１１】（Ａ）から（Ｈ）は種々の転倒状態での液体との関係を示す図面である。
【符号の説明】
１…容器本体、２…内容器、３…ヒータ（加熱手段）、５…蓋体、６…蓋本体、１１…蒸気排出路、１３ａ…排気口、１５…開口、１７，３０…内蓋、１８…下蓋、１９，３２…中蓋、２０…パッキン、２４Ａ〜２４Ｄ，３９Ａ〜３９Ｃ…連通路、２４ａ，３９ａ…入口、２４ｂ，３９ｂ…出口、３４…底部、３５…排出口、３８…ダクト、Ｓ１，Ｓ２…空間、Ｗｓ…液面。
【図１】
2004229896.tif 000003
【図２】
2004229896.tif 000004
【図３】
2004229896.tif 000005
【図４】
2004229896.tif 000006
【図５】
2004229896.tif 000007
【図６】
2004229896.tif 000008
【図７】
2004229896.tif 000009
【図８】
2004229896.tif 000010
【図９】
2004229896.tif 000011
【図１０】
2004229896.tif 000012
【図１１】
2004229896.tif 000013